(57)【特許請求の範囲】
【請求項１】
水平梁材の上に配置された足場板を前記水平梁材に固定する足場板固定用の締結具であって、
鋼材製の棒材からなり、前記水平梁材の上に配置された足場板の表面に沿って幅方向に延びる締結具本体部と、
前記締結具本体部の一端部に連なって前記一端部に対して折り曲げられ、前記水平梁材の上に配置された足場板の一方側から突出する前記水平梁材の一方の突出端に係合する円弧状の第１のフック部と、
前記締結具本体部の他端部に連なって前記他端部に対して折り曲げられ、前記足場板の他方側から突出する前記水平梁材の他方の突出端に係合する円弧状の第２のフック部とを有し、
前記足場板の表面に当接して前記第１と第２のフック部が前記水平梁材に係合した状態のもとで前記足場板を前記水平梁材に向けて押し付ける押圧部と、当該押圧部の両端に段差部を介して連なり前記足場板との間で隙間を形成する両端部とを、前記締結具本体部を折り曲げることにより一体に形成し、
前記第１のフック部を前記水平梁材に係合させた状態のもとで、前記両端部を弾性変形させて、前記第２のフック部を前記水平梁材に係合させて前記足場板を前記水平梁材に固定することを特徴とする足場板固定用の締結具。
【請求項２】
請求項１記載の足場板固定用の締結具において、前記第１と第２のフック部の一方のフック部の先端に広がる方向に折り曲げられ、前記一方のフック部を前記水平梁材に対して着脱する際に、前記一方のフック部に対する前記水平梁材を案内する折り曲げガイドを有することを特徴とする足場板固定用の締結具。 
【発明の詳細な説明】
【技術分野】
【０００１】
本発明は水平梁材の上に配置される足場板を水平梁材に固定するための締結具に関し、特に、水平梁材から取り外して繰り返して使用することができる締結具に関する。
【背景技術】
【０００２】
建築物を構築したり改修したりする際には、作業者が建築作業を行うために足場装置が建築物の周囲や内部に仮設され、地盤に基礎用のパネルを構築する際にも土木作業用の足場装置が地盤に構築される。このような足場装置としては、水平梁材が設けられた四角形の建て枠を所定の間隔を隔てて配置し、２つの隣り合う建て枠の水平梁材に足場板を装着するようにしたタイプがある。このタイプの足場装置は、特許文献１に記載されるように、両端部にはフックつまり爪部が設けられた足場板が使用されており、足場板はフックの部分で水平梁材に引っ掛けられて装着される。このように両端部にフックが設けられた足場板は布板とも言われている。
【０００３】
一方、足場装置が設けられる部位によっては、特許文献２および特許文献３に記載されるように、両端部にフックが設けられていない足場板が使用される。フックが設けられていない足場板を水平梁材に固定するには、特許文献２に記載されるように、鋼材などからなる金属製のバンドやワイヤ等の結束具を用いて足場板を水平梁材に固定するようにしている。
【先行技術文献】
【特許文献】
【０００４】
【特許文献１】特開２００３−２５３８７７号公報
【特許文献２】実開昭５７−１９２３５３号公報
【特許文献３】特開２００１−４９６２３号公報
【発明の概要】
【発明が解決しようとする課題】
【０００５】
上述したように、バンド等の結束具を用いて足場板を水平梁材に固定するようにすると、足場板を水平梁材に締結する際には、鋼材からなる金属製の結束具を折り曲げるために締結用の工具を用いる必要があり、足場板の締結作業に時間がかかることになる。一方、仮設足場を用いて建築作業や土木作業が終了した後には、仮設足場装置を建築現場や土木作業現場から撤去することになり、その際にはバンド等の結束具を足場装置から取り外すことになる。バンド等の結束具の取り外しは、ワイヤカッター用の工具を用いて行われており、取り外し作業に時間を要することになる。しかも、取り外されたバンド等の結束具は、短く寸断されるので、それをそのままでは再利用することはできずに廃棄されている。
【０００６】
土木建築作業を迅速に行うには、仮設用の足場装置をいかにして迅速に組み立てることができるかが重要な課題となっている。しかも、従来のように、足場板を水平梁材に固定するために金属製のバンド等の結束具を用いると、足場板を取り外す際には結束具をワイヤカッターにより短く寸断する必要があり、結束具を再利用することはできずに、取り外された結束具は産業廃棄物となっている。
【０００７】
本発明の目的は、水平梁材に容易に装着し得るとともに容易に取り外すことができる足場板固定用の締結具を提供することにある。
【０００８】
本発明の他の目的は、繰り返して再利用することができる足場板固定用の締結具を提供することにある。
【課題を解決するための手段】
【０００９】
本発明の足場板固定用の締結具は、水平梁材の上に配置された足場板を前記水平梁材に固定する足場板固定用の締結具であって、鋼材製の棒材からなり、前記水平梁材の上に配置された足場板の表面に沿って幅方向に延びる締結具本体部と、前記締結具本体部の一端部に連なって前記一端部に対して折り曲げられ、前記水平梁材の上に配置された足場板の一方側から突出する前記水平梁材の一方の突出端に係合する円弧状の第１のフック部と、前記締結具本体部の他端部に連なって前記他端部に対して折り曲げられ、前記足場板の他方側から突出する前記水平梁材の他方の突出端に係合する円弧状の第２のフック部とを有し、前記足場板の表面に当接して前記第１と第２のフック部が前記水平梁材に係合した状態のもとで前記足場板を前記水平梁材に向けて押し付ける押圧部と、当該押圧部の両端に段差部を介して連なり前記足場板との間で隙間を形成する両端部とを、前記締結具本体部を折り曲げることにより一体に形成し、前記第１のフック部を前記水平梁材に係合させた状態のもとで、前記両端部を弾性変形させて、前記第２のフック部を前記水平梁材に係合させて前記足場板を前記水平梁材に固定することを特徴とする。 
【００１０】
本発明の足場板固定用の締結具は、前記第１と第２のフック部の一方のフック部の先端に広がる方向に折り曲げられ、前記一方のフック部を前記水平梁材に対して着脱する際に、前記一方のフック部に対する前記水平梁材を案内する折り曲げガイドを有することを特徴とする。 
【発明の効果】
【００１１】
本発明によれば、締結具の両端部に設けられたフック部をそれぞれ水平梁材に係合させることによって水平梁材の上に配置された足場板は水平梁材に締結される。足場板を水平梁材から取り外す際には、それぞれのフック部と水平梁材との係合を解いて締結具を水平梁材から取り外す。このように、フック部を水平梁材に係合つまり引っ掛ける操作により容易に水平梁材に締結具を装着し得るとともに容易に取り外すことができる。さらに、取り外した締結具は、廃棄物として廃棄することなく、別の足場装置における足場板固定用として繰り返して再利用することができるので、産業廃棄物の発生を抑制することができる。
【００１２】
締結具本体部の中央部分を足場板に当接するようにすると、フック部を水平梁材に係合させるときには締結具本体部の両端部が足場板に向けて接近する方向に弾性変形するので、フック部を水平梁材に係合する作業を容易に行うことができる。しかも、中央部分を起点としてそれぞれのフック部には水平梁材に向かう弾性力が加えられるので、締結具により足場板を確実に固定することができる。これにより、足場板が水平梁材の上でずれ移動することを防止できる。
【図面の簡単な説明】
【００１３】
［図１］本発明の一実施の形態である締結具を用いて足場板を水平梁材に固定した状態
を示す斜視図である。
［図２］（Ａ）は図１に示された締結具を示す拡大斜視図であり、（Ｂ）は図２（Ａ）
の正面図である。
［図３］（Ａ）は図１における３Ａ−３Ａ線方向の拡大断面図であり、（Ｂ）は図３（
Ａ）における３Ｂ−３Ｂ線方向の断面図であり、（Ｃ）は図３（Ａ）における３Ｃ−３Ｃ線方向の断面図である。
［図４］（Ａ），（Ｂ）は締結具を用いて足場板を固定する手順を示す工程図であり、
図４（Ｃ）は図４（Ｂ）における４Ｃ−４Ｃ線方向の断面図である。
［図５］（Ａ）〜（Ｂ）はそれぞれ本発明の他の実施の形態である締結具を用いて足場
板を固定した状態を示す断面図である。 
【発明を実施するための形態】
【００１４】
以下、本発明の実施の形態を図面に基づいて詳細に説明する。図１に示されるように、足場板１０は足場装置を構成する水平梁材１１の上に配置される。それぞれの水平梁材１１は垂直支柱１２に固定され、足場板１０は水平梁材１１に対して締結具２０を用いて固定される。足場装置を構成する垂直支柱１２は、足場装置が建築作業に使用される際には、建築物の周囲や内部に据え付けられ、足場装置が土木作業に使用される際には、地盤に据え付けられることになる。図１においては、それぞれの水平梁材１１はその一端部に垂直支柱１２が固定されているが、足場装置によっては水平梁材１１の両端部に垂直支柱１２が固定されることになる。
【００１５】
締結具２０は、図２に示されるように、鋼材製の丸棒により形成されており、これを図示するように折り曲げることにより形成されている。図示する場合には丸棒としては外径が約６ｍｍ程度の部材が使用されている。図１および図３には２枚の足場板１０が水平梁材１１に配置された状態が示されており、締結具２０は２枚の足場板１０の合計の幅寸法Ｗよりもやや長い寸法Ｌの締結具本体部２１を有している。この締結具本体部２１は、水平梁材１１に締結されたときには足場板１０の表面に沿ってその幅方向に延びることになる。
【００１６】
締結具本体部２１の一端部には円弧状の第１のフック部２２が連なって設けられている。第１のフック部２２は、図３（Ａ）に示されるように、足場板１０の一方側から突出する水平梁材１１の一方の突出端に係合される。第１のフック部２２は、図３（Ｂ）に示されるように、締結具本体部２１の一端部に対してほぼ直角方向に折り曲げられた基部２２ａと、この先端から締結具本体部２１に対して幅方向に突出するように円弧状に湾曲した湾曲部２２ｂとを有し、その先端部は水平梁材１１の接線方向に真っ直ぐとなって上方に向けて傾斜した傾斜部２２ｃとなっている。
【００１７】
締結具本体部２１の他端部には第２のフック部２３が連なって設けられており、第２のフック部２３は第１のフック部２２に対して対向している。第２のフック部２３は、図３（Ａ）に示されるように、足場板１０の他方側から突出する水平梁材１１の他方の突出端に係合される。第２のフック部２３は、図３（Ｃ）に示されるように、締結具本体部２１の他端部に対して、第１のフック部２２と同様に、ほぼ直角方向に折り曲げられた基部２３ａと、この先端から締結具本体部２１に対して幅方向に突出するように円弧状に湾曲した湾曲部２３ｂとを有しており、その先端部は広がる方向つまり水平梁材１１から離れる方向に折り曲げられた折り曲げガイド２３ｃとなっている。
【００１８】
締結具２０におけるそれぞれのフック部２２，２３の長さＤは、図３に示されるように、足場板１０の厚みと水平梁材１１の直径との合計寸法Ｅよりも大きく設定されている。
【００１９】
締結具本体部２１の長手方向中央部には、図３に示されるように、両方のフック部２２，２３がそれぞれ水平梁材１１に係合した状態のもとで、足場板１０を水平梁材１１に向けて押し付ける押圧部２４が設けられている。この押圧部２４は締結具本体部２１を部分的に折り曲げることにより締結具本体部２１と一体に形成されている。押圧部２４は締結具本体部２１に対してフック部２２，２３側つまり図３において下方側にずらすように折り曲げられており、押圧部２４は締結具本体部２１に対して段差部２５を有している。したがって、両方のフック部２２，２３をそれぞれ水平梁材１１に係合させて締結具２０を水平梁材１１に装着した状態のもとでは、図３（Ａ）に示されるように、締結具本体部２１と足場板１０との間には段差部２５により隙間２６が形成されることになり、押圧部２４の締結具本体部２１に対して弾性変形し、その弾性力によって足場板１０には水平梁材１１からずれないように締め付け力が加えられる。
【００２０】
図２（Ａ）に示すように締結具本体部２１がほぼ真っ直ぐとなっているのに対して、図２（Ｂ）において二点鎖線で示すように、予め締結具本体部２１をフック部側が凸となるように湾曲させた形態とすると、締結具２０による足場板１０に対する締め付け力を強くすることができる。しかも、このように湾曲した形態とすると、締結具２０を水平梁材１１に装着して足場板１０を締結した状態のもとで締結具本体部２１と足場板１０との間の隙間２６を大きくしても、強固に足場板１０を締結することができる。
【００２１】
図２に示す足場板固定用の締結具２０を用いて足場板１０を水平梁材１１に固定するには、図４（Ａ）に示すように、水平梁材１１に足場板１０が配置された状態のもとで、一方のフック部２２を水平梁材１１の一方の突出端部に係合つまり引っ掛ける。一方のフック部２２を水平梁材１１に係合させるときには、他方のフック部２３を足場板１０よりも上方に離して締結具２０を足場板１０に対して傾斜した状態とすることにより、締結具本体部２１の角部に足場板１０が入り込むことになる。これにより、作業者は手作業により容易にフック部２２を水平梁材１１に係合させることができる。
【００２２】
次いで、図４（Ｂ）に示されるように、他方のフック部２３を足場板１０に向けて下降移動させる。図４（Ｃ）はこのように他方のフック部２３を下降移動させてフック部２３の先端が水平梁材１１に接触した状態を示す。この状態のもとでは、一方のフック部２２が既に水平梁材１１に係合されているので、図４（Ｃ）に示されるように、締結具２０は足場板１０の長手方向に傾斜した状態となる。この状態のもとで、作業者により図示しない工具を使用してよりフック部２３の先端部を押し広げるように弾性変形させるとともにフック部２３を水平梁材１１に向けて押し付けると、図３に示されるように、締結具２０はその両端のフック部２２，２３がそれぞれ水平梁材１１に係合されて水平梁材１１に取り付けられた状態となる。このときには、締結具本体部２１の両端部には押圧部２４に対して段差部２５が設けられているので、締結具本体部２１の両端部は水平梁材１１に向けてこれに当接するまで弾性変形することになる。これにより、フック部２３の先端部を弾性変形させる変形量を少なくすることができ、水平梁材１１に対するフック部２３の係合操作が容易となる。
【００２３】
フック部２３を水平梁材１１に向けて押し付ける際には、フック部２３の先端部には、広がる方向つまり水平梁材１１から離れる方向に折り曲げられた折り曲げガイド２３ｃが設けられているので、フック部２２の先端部のように水平梁材１１の接線方向に真っ直ぐとなって上方に向けて傾斜した傾斜部２２ｃを設ける場合に比して、容易にフック部２３を水平梁材１１に係合させることができる。ただし、フック部２３の先端部をフック部２２と同様に傾斜部としても、フック部２３を水平梁材１１に係合させることは工具を用いて先端部を広げるように弾性変形させれば可能である。また、フック部２２の先端部をフック部２３と同様に折り曲げガイドとしても良い。
【００２４】
図３に示すように、締結具２０を用いて水平梁材１１に足場板１０を締結した状態のもとでは、段差部２５により締結具本体部２１と足場板１０との間には隙間２６が形成されるので、押圧部２４を起点として締結具本体部２１の両端部に設けられたフック部２２，２３には、図３において上方に向かう方向の弾性力が矢印Ｆで示すように加えられることになる。これにより、鋼材製の棒材からなる締結具２０により足場板１０は、押圧部２４とフック部２２，２３とにより締め付けられるようにして水平梁材１１に締結されることになる。
【００２５】
図１に示す仮設足場装置を使用した建築作業や土木作業が終了して、足場装置を分解して所定の作業場所から撤去する際には、締結具２０を水平梁材１１に装着した場合とは逆にフック部２３をまず水平梁材１１から取り外すことになる。このときには、工具を用いてフック部２３の先端の折り曲げガイド２３ｃを押し広げる。これにより、フック部２３が広がる方向に弾性変形するとともに、フック部２３が設けられた方の締結具本体部２１が足場板１０に向けて弾性変形するので、工具を用いて容易にフック部２３を水平梁材１１から取り外しことができる。
【００２６】
フック部２３が取り外された後には、工具を使用することなく、フック部２２を手作業により容易に水平梁材１１から取り外すことができる。締結具２０を水平梁材１１から取り外しても、締結具２０はもとの形状にその弾性により戻るので、他の工事現場の仮設足場装置における足場板１０を締結するために締結具２０を再使用することができる。したがって、締結具２０を足場板１０から取り外しても締結具２０を廃棄することがなく、産業廃棄物が発生することを防止することができる。
【００２７】
図５（Ａ）〜図５（Ｃ）はそれぞれ本発明の他の実施の形態である締結具２０を示す。上述した締結具２０と相違し、図５（Ａ）は１枚の足場板１０を締結するため使用される締結具２０を示し、図５（Ｂ）は相互に平行となって配置された３枚の足場板１０を水平梁材１１に締結するために使用される締結具２０を示す。それぞれ締結具本体部２１の長さが相違することを除いて基本構造は上述した場合と同様である。
【００２８】
押圧部２４を上述のように締結具本体部２１を折り曲げることにより形成するようにし、締結具本体部２１を全体的に湾曲させてその中央部分を押圧部２４として足場板１０に接触させるようにしたので、締結具を容易に製造できる。
【００２９】
本発明は前記実施の形態に限定されるものではなく、その要旨を逸脱しない範囲で種々変更可能である。例えば、上述した締結具２０は棒材を折り曲げることにより締結具本体部２１と両方のフック部２２，２３とが一体となっているが、締結具本体部２１とフック部２２，２３とを別部品を用いて締結具本体部２１に対してフック部２２，２３を溶接するようにしても良い。
【符号の説明】
【００３０】
１０      足場板
１１      水平梁材
１２      垂直支柱
２０      締結具
２１      締結具本体部
２２      フック部（第１のフック部）
２３      フック部（第２のフック部）
２４      押圧部
２５      段差部
２６      隙間
【図１】
0005558056.tif 000002
【図２】
0005558056.tif 000003
【図３】
0005558056.tif 000004
【図４】
0005558056.tif 000005
【図５】
0005558056.tif 000006